(57)【要約】【課題】  本発明は、指示温度が異なる可逆性示温剤を用いて、それらの可逆性示温剤の指示する温度の間の温度を細かく読取れるようにした温度管理媒体を得ることを目的とする。【解決手段】  本発明の温度管理媒体は、一方の可逆性示温剤のみからなる領域α１２と、前記可逆性示温剤とは指示温度が異なる他方の可逆性示温剤のみからなる領域β１３と、前記一方の可逆性示温剤と前記他方の可逆性示温剤を重ねてなる領域γ１４とが基材１１上に配され、前記基材１１を介して被測温体と接するようにする。【選択図】  図１
2006047176.tif 000002
【特許請求の範囲】
【請求項１】
一方の可逆性示温剤のみからなる領域αと、
前記可逆性示温剤とは指示温度が異なる他方の可逆性示温剤のみからなる領域βと、
前記一方の可逆性示温剤と前記他方の可逆性示温剤を重ねてなる領域γとが基材上に配され、前記基材を介して被測温体と接することを特徴とする温度管理媒体。
【請求項２】
前記領域γは、前記一方の可逆性示温剤又は前記他方の可逆性示温剤のうち、より高温域で発色する可逆性示温剤を基材と接する側に配したことを特徴とする請求項１に記載の温度管理媒体。
【発明の詳細な説明】
【技術分野】
【０００１】
本発明は、色彩の変化により温度を読取る温度管理媒体に関する。
【背景技術】
【０００２】
従来より、温度変化に応じて色彩が変化する可逆性示温剤が提案されている（例えば、特許文献１参照）。
【０００３】
特許文献１では、脂肪族高級アルコール類、脂肪酸類、酸アミド類、エステル類、エーテル類から選ばれる溶融性物質と、ロイコ染料と、４−ヒドロキシクマリンおよびその誘導体から選ばれる１または複数の化合物と、α―フリルジオキシムとを少なくとも含有する各種可逆性示温剤が提案されている。
【０００４】
これらの可逆性示温剤の用い方としては、可逆性示温剤を直接被測温体に塗布するか、または可逆性示温剤をマイクロカプセル化して被測温体内に内包させる方法が提案されている。そして、前述したロイコ染料や脂肪族アルコールの材質を変えることにより、変色する温度（域）と色の種類を、例えば、−１８℃〜６５℃の範囲でいろいろと変えることができると提案されている。
【特許文献１】特開昭６３−２５１４８７号公報
【発明の開示】
【発明が解決しようとする課題】
【０００５】
しかしながら、従来の可逆性示温剤は、指示温度の異なる可逆性示温剤を平面上に離間して設けた場合は、それらの可逆性示温剤の指示する温度の中間の温度を細かく読み取ることは困難であった。
そこで、本発明は、指示温度が異なる可逆性示温剤を用いて、それらの可逆性示温剤の指示する温度の中間の温度域において、温度を細かく読取れるようにした温度管理媒体を提供することを目的とする。
【課題を解決するための手段】
【０００６】
かかる課題を解決するために、本発明に係る温度管理媒体は、一方の可逆性示温剤のみからなる領域αと、前記可逆性示温剤とは指示温度が異なる他方の可逆性示温剤のみからなる領域βと、前記一方の可逆性示温剤と前記他方の可逆性示温剤を重ねてなる領域γとが基材上に配され、前記基材を介して被測温体と接することを特徴としている。
【０００７】
かかる構成により、本発明に係る温度管理媒体は、例えば、領域αに配した一方の可逆性示温剤は、温度ｔ１で色彩が変化し、領域βの他方の可逆性示温剤は、温度ｔ２で色彩が変化するものとする。その際、ｔ１とｔ２の大小関係は、ｔ１＜ｔ２、又は、ｔ１＞ｔ２のいずれであっても、ｔ１とｔ２の中間の温度域において、領域γに重ね塗りされた可逆性示温剤の色彩の変化が鮮明に観測される。従って、領域γの色彩の変化を観測することにより、ｔ１とｔ２の中間の温度域において、温度をより細かく読取ることができる。
【０００８】
上記本発明に係る温度管理媒体の前記領域γは、より高温域で発色する可逆性示温剤を基材と接する側に配することが好ましい。
【０００９】
これにより、前記領域γとして、より高温域で発色する可逆性示温剤を基材と接する側に設けることにより、本発明の温度管理媒体は、先ず、高温域から低温域に向けて冷却して行く場合、領域γに置ける可逆性示温剤は、先ず基材に接する側（下側）の可逆性示温剤が発色するが、基材に接する側（下側）の可逆性示温剤が発色を開始するときは、上側の可逆性示温剤は、まだ無色（透明）であるので、上側の可逆性示温剤を通して、下側の可逆性示温剤の発色を視認することができる。
【００１０】
次に、下側の可逆性示温剤の発色が完了しないうちに、上側の可逆性示温剤が発色すると、領域γにおいて重ね塗りされた可逆性示温剤は、下側の可逆性示温剤と上側の可逆性示温剤の発色が干渉しあうことにより、鮮明な色彩の変化として観測されるため、上下の可逆性示温剤が指示する温度の中間の温度域において、より細かく温度を読取ることができる。
【発明の効果】
【００１１】
以上説明したように、本発明の温度管理媒体は、指示温度の異なる可逆性示温剤を用いて、一部を重ね塗りすることにより、重ね塗りされた領域の可逆性示温剤は、色彩の変化が鮮明に観測されるため、指示温度が異なる可逆性示温剤が指示する温度の中間の温度域において、温度をより細かく読取ることができる。しかも、この構成は、２種の可逆性示温剤を用いるだけで、多段階に、かつ細かな温度の観測を可能とする。従って、本発明の温度管理媒体は、従来の温度管理媒体が、多数の可逆性示温剤を用いるのに対して、２種類の可逆性示温剤を用いるだけでよいことから、小型化とともに低コスト化も図れる。
【発明を実施するための最良の形態】
【００１２】
以下に、本発明の実施の形態について図面を参照して説明する。なお、この実施形態は、発明の趣旨をより良く理解するために具体的に説明するものであり、本発明を限定するものではない。
【００１３】
図１は、本発明の温度管理媒体の構成の一例を示し、（ａ）は平面図、（ｂ）は（ａ）のＡ―Ａ´における断面図である。
図１に示す温度管理媒体１０は、基材１１の一面の領域α１２に一方の可逆性示温剤が印刷され、領域β１３には他方の可逆性示温剤が印刷され、領域γ１４では、一方の可逆性示温剤と他方の可逆性示温剤が重ね塗りされている。そして、領域γ１４においては、より高温域で発色する可逆性示温剤が、基材１１に接する側に配されている。
【００１４】
基材１１は、可逆性示温剤が印刷可能であれば、特に限定されることはなく、プラスチック等の有機材料でも、ガラス等の無機材料でも、アルミや鉄等の金属材料でも良く、用途に応じて選択される。
【００１５】
可逆性示温剤は、固有の温度に達したときに発色又は消色することにより、温度状態を視覚的に把握できるものであり、用いる温度条件により適宜選択されるが、重ね塗りされた領域γ１４において色彩の変化がより鮮明に観測されるためには、２つの可逆性示温剤の指示する温度が接近していて、より高温で発色する可逆性示温剤の発色が完了しないうちに、より低温で発色する可逆性示温剤の発色が開始することが望ましい。
【００１６】
可逆性示温剤の印刷は、一般的な印刷方法（オフセット、スクリーン印刷等）により、基材１１上に印刷される。
【００１７】
領域γ１４の可逆性示温剤は、重ね塗りされていない領域α１２及び領域β１３と同じ厚さでそれぞれの可逆性示温剤を重ね塗りしても良いが、同じ厚さで重ね塗りすると、可逆性示温剤の厚さが厚くなり、可逆性示温剤が突出するとともに、下側の可逆性示温剤の色彩の変化が視認し難くなる。そこで、それぞれの可逆性示温剤を、領域α１２及び領域β１３での厚さの半分ずつにして重ね塗りすると、領域γ１４の可逆性示温剤の厚さは、領域α１２及び領域β１３の可逆性示温剤の厚さと同じになり、可逆性示温剤の突出もなくなり、下側の可逆性示温剤の発色が視認し易くなる。
【００１８】
重ね塗りされた領域γ１４における可逆性示温剤は、色彩の変化が鮮明に観測されるようになるので、これを読取装置に掛けることによって、温度をより細かく読取ることができる。
【００１９】
以下、具体的な実施例について説明する。
〔実施例〕
長さ３．０ｃｍ、幅２．０ｃｍ、厚さ２００μｍのポリエチレンシートと、可逆性示温剤Ａ（日油技研（株）社製、商品名；メデシルカラー、指示温度：−１０℃）及び可逆性示温剤Ｂ（日油技研（株）社製、商品名；メデシルカラー、指示温度：−１５℃）を用意し、ポリエチレンシートの一面に、長さ２．５ｃｍ×幅１．０ｃｍの可逆性示温剤の印刷領域を設けた。
【００２０】
先ず、指示温度のより高い可逆性示温剤Ａを用いて、可逆性示温剤の印刷領域の片端から印刷を開始し、可逆性示温剤Ａの厚さが、片端から１．０ｃｍまでは２０μｍになるように、１．０ｃｍから１．５ｃｍまでは１０μｍになるように印刷した。
【００２１】
次に、指示温度のより低い可逆性示温剤Ｂを用いて、可逆性示温剤の印刷領域の他の片端から印刷を開始し、可逆性示温剤Ｂの厚さが、他の片端から１．０ｃｍまでは２０μｍになるように、１．０ｃｍから１．５ｃｍまでは１０μｍになるように印刷した。
【００２２】
以上のようにして、指示温度の異なる２つの可逆性示温剤Ａ及びＢからなり、一部に重ね塗り部を有し、単層部、重ね塗り部とも可逆性示温剤の厚さが２０μｍになるように基材上に印刷された温度管理媒体が得られた。
そして、この温度管理媒体を、基材側が被測温体に接するようにして被測温体に貼付し、重ね塗りされた領域の可逆性示温剤の色彩変化を読取装置に掛けたところ、可逆性示温剤Ａ及びＢが指示する温度−１０℃と−１５℃の中間の温度域において、１℃間隔で細かく読取ることができた。
【産業上の利用可能性】
【００２３】
本発明の温度管理媒体は、指示する温度が接近している２つの可逆性示温剤を用いて、それらの指示温度の中間の温度域において、温度を細かく読取るものであり、保冷剤の温度管理ばかりでなく、医薬品や半導体製品等の温度管理にも用いることができる。
【図面の簡単な説明】
【００２４】
【図１】本発明に係る温度管理媒体の実施形態の一例を示し、（ａ）は平面図、（ｂ）は、（ａ）のＡ―Ａ´における断面図である。
【符号の説明】
【００２５】
１０  温度管理媒体、１１  基材、１２  領域α、１３  領域β、１４  領域γ。
【図１】
2006047176.tif 000003